(57)【要約】【課題】安価で、手間がかからず、しかも携帯型デジタル音楽プレイヤーの裏面などを傷つけるおそれがないスタンドを提供すること。【解決手段】このスタンド１０は、例えば携帯型デジタル音楽プレイヤー１を机面２上に浮かした状態でかつ着脱自在に保持するものであって、携帯型デジタル音楽プレイヤー１を吸着する吸盤３と、この吸盤３を取り付けるスタンド本体４とを備え、このスタンド本体４に取り付けられた吸盤３で携帯型デジタル音楽プレイヤー１を吸着したときに、この携帯型デジタル音楽プレイヤー１がスタンド本体４に非接触で保持されるように構成されている。【選択図】  図１
0003135103.tif 000002
【実用新案登録請求の範囲】
【請求項１】
被保持物をベース上に浮かした状態でかつ着脱自在に保持するスタンドであって、
前記被保持物を吸着する吸盤と、この吸盤を取り付けるスタンド本体とを備え、
前記スタンド本体に取り付けられた吸盤で前記被保持物を吸着したときに、この被保持物が前記スタンド本体に非接触で保持されるように構成したことを特徴とするスタンド。
【請求項２】
前記スタンド本体は、前記被保持物が保持された状態で自立可能な一体構造物であることを特徴とする請求項１記載のスタンド。
【請求項３】
前記スタンド本体は、前記ベース上に載置され前側が後側よりも長い辺を有する台形状の基部と、この基部の後側から前上方に向けて第一所定角度で傾斜させた状態で立設した中間部と、この中間部の上端から後上方に向けて前記第一所定角度よりも大きい第二所定角度で傾斜させた状態で立設した先端部とからなり、この先端部に前記吸盤を取り付けるように構成したことを特徴とする請求項２記載のスタンド。
【請求項４】
前記吸盤は、前記スタンド本体に着脱自在に取り付けられていることを特徴とする請求項３記載のスタンド。
【請求項５】
前記スタンド本体は、前記先端部に鍵穴状に連通する上下穴を設けており、上側の穴は前記吸盤の裏側の略中央に形成された取付部を挿入可能な径を有するとともに下側の穴は前記取付部の縮径部に嵌合可能な径を有しており、上側の穴に前記取付部を挿入して下側の穴に落としこむことにより、該下側の穴に前記縮径部を嵌合するように構成したことを特徴とする請求項４記載のスタンド。
【請求項６】
前記吸盤は、その裏面の前記取付部から離間した部位に突起部を備えており、この突起部を下側に向けた状態で、前記スタンド本体の表面に当接可能としたことを特徴とする請求項５記載のスタンド。
【考案の詳細な説明】
【技術分野】
【０００１】
本考案は、スタンドに関するものであって、例えば携帯型デジタル音楽プレイヤー、携帯電話機、写真等のスタンドに好適である。
【背景技術】
【０００２】
携帯機器用のスタンドには、種々のものが考案されている（例えば特許文献１〜３参照）。ここに、特許文献１には、携帯電話機の筐体を自立可能にするスタンドであって、ハンズフリー通話を可能とするものが開示されている。また特許文献２には、図６に示すように、携帯情報端末１ａを、左右爪部４ａ，４ｂで挟み込んだ状態で、その下部４ｃから支持するスタンド１０ａが開示されている。さらに特許文献３には、携帯電話機を立姿勢で保持する穴部を設けたスタンドが開示されている。
【０００３】
ところで、携帯型デジタル音楽プレイヤー（例えばＡＰＰＬＥ社の「ｉＰｏｄ」：商品名）は、光沢ある白又は黒を基調としたシンプルなデザインで、その裏面は鏡面加工されたステンレスを用いて高級感を演出している。最近の携帯型デジタル音楽プレイヤーは、液晶画面を持ち、音楽再生機能に加えて、簡単なＰＤＡ（携帯端末）機能を備えているものもある。
【０００４】
使用者は、携帯型デジタル音楽プレイヤーを室外で使用するときには、この携帯型デジタル音楽プレイヤーをそのまま、或いは、プラスチックケースに入れて持ち運ぶ一方、室内で使用するときには、この携帯型デジタル音楽プレイヤーをスタンドに装着するのが一般的になってきている。
【０００５】
また、携帯型デジタル音楽プレイヤーを室内で長時間使用する際には、バッテリーに充電するための充電器を携帯型デジタル音楽プレイヤーの下部に装着するようになっている。充電器からは電源コードが延びており、特許文献１，３の形態では、この電源コードが邪魔になって、スタンドに装着することができない。
【０００６】
したがって、携帯型デジタル音楽プレイヤー用のスタンドは、特許文献２の形態（以下、従来例という。）のように、携帯情報端末１ａをベース２ａ上に浮かした状態でかつ着脱自在に保持可能なスタンド１０ａのごときものが好ましく、インターネットで宣伝されている市販のスタンドには、このような形態のものが多い。
【特許文献１】特開２００７−９６５７２号公報
【特許文献２】意匠登録第１１６７３４２号公報
【特許文献３】意匠登録第１１９２９６６号公報
【考案の開示】
【考案が解決しようとする課題】
【０００７】
ところが、携帯型デジタル音楽プレイヤーの裏面には、鏡面加工されたステンレスを用いているため、この携帯型デジタル音楽プレイヤーに、従来例のスタンド１０ａのごときものを使用すると、スタンド１０ａの把持部（左右爪部４ａ，４ｂ）や支持部（下部４ｃ）で、その携帯型デジタル音楽プレイヤーの裏面を傷つけてしまうおそれがあった。
【０００８】
したがって、使用者は、携帯型デジタル音楽プレイヤーの裏面をできるだけ傷つけないように、その携帯型デジタル音楽プレイヤーをプラスチックケースに入れたままスタンドに装着したいが、その場合には、把持部の隙間を調整可能な特殊構造のスタンドを使用する必要がある。
【０００９】
しかしながら、特殊構造のスタンドを使用したとしても、把持部の隙間を調整するためには手間がかかる。また、特殊構造のスタンドでは、その部品点数が多くなり、当該スタンドのコストアップを招く。さらに、寸法や液晶画面の方向等が大きく異なる新型機種や、他メーカ品に、特殊構造のスタンドを使用した場合には、把持部の隙間の調整可能な範囲を超えることがあり、その都度スタンドを買い換えるのでは、不経済である。
【００１０】
本考案は、上記事情に鑑みたものであり、その目的とするところは、安価で、使用時に手間がかからず、しかも携帯型デジタル音楽プレイヤーの裏面などを傷つけるおそれがないスタンドを提供することである。
【課題を解決するための手段】
【００１１】
本考案は、被保持物をベース上に浮かした状態でかつ着脱自在に保持するスタンドであって、前記被保持物を吸着する吸盤と、この吸盤を取り付けるスタンド本体とを備え、前記スタンド本体に取り付けられた吸盤で前記被保持物を吸着したときに、この被保持物が前記スタンド本体に非接触で保持されるように構成したことを特徴とするものである。被保持物には、例えば携帯型デジタル音楽プレイヤー、携帯電話機、写真等、並びに、それらをプラスチックケース等に入れたものを含む。
【００１２】
本考案によれば、前記被保持物を吸着する吸盤と、この吸盤を取り付けるスタンド本体とが備えられ、前記スタンド本体に取り付けられた前記吸盤で前記被保持物が吸着されたときに、この被保持物が前記スタンド本体に非接触で保持される。したがって、例えば被保持物が携帯型デジタル音楽プレイヤーである場合には、携帯型デジタル音楽プレイヤーの裏面がスタンド本体にまったく接触しないので、その裏面を傷つけてしまうおそれがなくなる。
【００１３】
なお、従来例のスタンドを、自動車のダッシュボード上に搭載する場合には、携帯型デジタル音楽プレイヤーがスタンド本体内で振動しないように、例えば吸盤を補助的に用いて、その携帯型デジタル音楽プレイヤーをスタンド本体内で位置決めして固定することも考えられるが、仮にそのような場合であっても、基本的には、従来例のスタンドを使用するものである以上、スタンドの把持部（左右爪部）や支持部（下部）で携帯型デジタル音楽プレイヤーの裏面を傷つけてしまうおそれがある。すなわち、従来例では、本考案のごとき前記作用効果を奏することができないことは明らかである。
【００１４】
また、本考案では、その携帯型デジタル音楽プレイヤーをプラスチックケースに入れたままでも、従来例のようにスタンドの把持部の隙間を調整する必要がないため、手間がかかるという問題が解消され、スタンドの部品点数が減少して、そのコストアップを招くこともない。さらに、寸法や液晶画面の方向等が大きく異なる新型機種や、他メーカ品に、本考案のスタンドを使用した場合には、従来例のように把持部の隙間の調整可能な範囲を超えることがなく、したがって、その都度スタンドを買い換える必要もないので、経済的である。その結果、安価で、使用時に手間がかからず、しかも携帯型デジタル音楽プレイヤーの裏面などを傷つけるおそれがないスタンドを提供することができる。
【００１５】
請求項２記載の考案のように、前記スタンド本体は、前記被保持物を保持した状態で自立可能な一体構造物であることが好ましい。
【００１６】
請求項２記載の考案によれば、前記スタンド本体は、前記被保持物を保持した状態で自立可能な一体構造物であるので、簡単な構成でありながら、スタンドをベース上に置くだけで、被保持物を安定した状態で保持することができる。かかる簡単な構成は、スタンドの部品点数をさらに減少させて、そのコストアップを抑えるものでもある。
【００１７】
請求項３記載の考案のように、前記スタンド本体は、前記ベース上に載置され前側が後側よりも長い辺を有する台形状の基部と、この基部の後側から前上方に向けて第一所定角度で傾斜させた状態で立設した中間部と、この中間部の上端から後上方に向けて前記第一所定角度よりも大きい第二所定角度で傾斜させた状態で立設した先端部とからなり、この先端部に前記吸盤を取り付けるように構成することが好ましい。
【００１８】
請求項３記載の考案によれば、前記スタンド本体は、前記ベース上に載置され前側が後側よりも長い辺を有する台形状の基部と、この基部の後側から前上方に向けて第一所定角度で傾斜させた状態で立設した中間部と、この中間部の上端から後上方に向けて前記第一所定角度よりも大きい第二所定角度で傾斜させた状態で立設した先端部とからなり、この先端部に前記吸盤を取り付けるように構成されているので、簡単かつ確実に被保持物を安定した状態で保持することができる。
【００１９】
なお、前記スタンド本体を形成する基部、中間部及び先端部の各寸法や、第一、第二所定角度は、被保持物の重心位置を考慮しつつ、その被保持物が例えば携帯型デジタル音楽プレイヤーであって、かつ、電源コード付きの充電器がある場合には、その充電器等が邪魔にならないように設定され、また、その被保持物が例えば携帯型デジタル音楽プレイヤーであって、かつ、液晶画面がある場合には、その液晶画面が見やすくなるように設定されるものとする。かかるスタンド本体に吸盤を取り付けて完成させたスタンドは、その使い易さと、外観上のかわいらしさとを兼ね備えたものであり、例えば着色する、アニメキャラクタのイラストを描く等で、使用者らにさらなる満足感を与えるものとすることができる。
【００２０】
請求項４記載の考案のように、前記吸盤は、前記スタンド本体に着脱自在に取り付けられていることが好ましい。
【００２１】
請求項４記載の考案によれば、前記吸盤は、前記スタンド本体に着脱自在に取り付けられているので、吸盤を取り外してメンテナンスすることができ、或いは、吸盤だけを交換することで、より広い範囲（用途）での使用ができるようになる。
【００２２】
請求項５記載の考案のように、前記スタンド本体は、前記先端部に鍵穴状に連通する上下穴を設けており、上側の穴は前記吸盤の裏側の略中央に形成された取付部を挿入可能な径を有するとともに下側の穴は前記取付部の縮径部に嵌合可能な径を有しており、上側の穴に前記取付部を挿入して下側の穴に落としこむことにより、該下側の穴に前記縮径部を嵌合するように構成することが好ましい。
【００２３】
請求項５記載の考案によれば、前記スタンド本体は、前記先端部に鍵穴状に連通する上下穴を設けており、上側の穴は前記吸盤の裏側の略中央に形成された取付部を挿入可能な径を有するとともに下側の穴は前記取付部の縮径部に嵌合可能な径を有しており、上側の穴に前記取付部を挿入して下側の穴に落としこむことにより、該下側の穴に前記縮径部を嵌合するように構成されているので、吸盤を簡単に取り外してメンテナンスすることができ、或いは、吸盤の交換を簡単に行うことができる。
【００２４】
請求項６記載の考案のように、前記吸盤は、その裏面の前記取付部から離間した部位に突起部を備えており、この突起部を下側に向けた状態で、前記スタンド本体の表面に当接可能とすることが好ましい。
【００２５】
請求項６記載の考案によれば、前記吸盤は、その裏面の前記取付部から離間した部位に突起部を備えており、この突起部を下側に向けた状態で、前記スタンド本体の表面に当接可能としているので、スタンド本体で被保持物を非接触で保持したときの、該被保持物の傾斜角度が大きく変化しないように、この突起部で支持することができる。これにより、例えば被保持物が液晶画面を持つ携帯型デジタル音楽プレイヤーである場合には、その液晶画面を見やすい所定角度でもって安定して保持することができる。
【考案の効果】
【００２６】
本考案によれば、前記被保持物を吸着する吸盤と、この吸盤を取り付けるスタンド本体とが備えられ、前記スタンド本体に取り付けられた前記吸盤で前記被保持物が吸着されたときに、この被保持物が前記スタンド本体に非接触で保持される。したがって、例えば被保持物が携帯型デジタル音楽プレイヤーである場合には、携帯型デジタル音楽プレイヤーの裏面がスタンド本体にまったく接触しないので、その裏面を傷つけてしまうおそれがなくなる。
【００２７】
また、その携帯型デジタル音楽プレイヤーをプラスチックケースに入れたままでも、従来例のようにスタンドの把持部の隙間を調整する必要がないため、手間がかかるという問題が解消され、スタンドの部品点数が減少して、そのコストアップを招くこともない。さらに、寸法や液晶画面の方向等が大きく異なる新型機種や、他メーカ品に、本考案のスタンドを使用した場合でも、従来例のように把持部の隙間の調整可能な範囲を超えることがなく、したがって、その都度スタンドを買い換える必要もないので、経済的である。その結果、安価で、使用時に手間がかからず、しかも携帯型デジタル音楽プレイヤーの裏面などを傷つけるおそれがないスタンドを提供することができる。
【考案を実施するための最良の形態】
【００２８】
図１は本考案の一実施形態に係るスタンド１０の概略構成を示す側断面図である。なお、図１中、スタンド１０の使用中における使用者側から見て、その手前（左）側を前側、その奥（右）側を後側という。以下の図面についても同様である。
【００２９】
本実施形態に係るスタンド１０は、図１に示すように、携帯型デジタル音楽プレイヤー（被保持物に相当する。）１を、ベースとしての机面２上に浮かした状態でかつ着脱自在に保持可能であって、前記携帯型デジタル音楽プレイヤー１を吸着する吸盤３と、この吸盤３を支持するスタンド本体４とを備えている。
【００３０】
図２は携帯型デジタル音楽プレイヤー１を示す詳細構成図であって、（ａ）は正面図、（ｂ）は側面図である。携帯型デジタル音楽プレイヤー１は、略四角形状の筐体を有しており、この筐体は、例えば図２（ａ）（ｂ）に示すように、液晶画面１３と操作部１４とを配置した表面１１と、鏡面加工されたステンレス製の裏面１とを備えている。また、その下部には、内蔵されたバッテリーに充電するための電源コード１５ａ付きの充電器１５を取り付けることができるとともに、電源コード１５ａの先端には、図略のＵＳＢ端子（雄）が取り付けられており、パーソナルコンピュータ（以下、「パソコン」と略称する。）等の同端子（雌）に接続して給電できるようになっている。さらに、その上部には、図略のイヤホンジャックが設けられており、このイヤホンジャックに外付けスピーカー１６を取り付けることができるようにもなっている。
【００３１】
図３は吸盤３を示す詳細構成図であって、（ａ）は正面図、（ｂ）は側面図である。吸盤３は、透明又は半透明の塩化ビニール等の合成樹脂製であって、例えば図３（ｂ）に示すように、側断面が半月状の吸盤本体３１と、この吸盤本体３１の裏面中央に突出した取付部３２と、この取付部３２から離間した部位に突出した突起部３３とを備えている。
【００３２】
吸盤本体３１の形状は、図３（ａ）に示すように、正面視で略４ｃｍ径の真円形をなしており、その正面側に携帯型デジタル音楽プレイヤー１を押圧することで、吸盤本体３１の凹部内の空気を抜いて、当該携帯型デジタル音楽プレイヤー１の裏面１２を真空吸着することができる。
【００３３】
取付部３２は、先端に傘状部（Ｒ部）をつけた中実丸棒状のものであって、この先端から若干吸盤本体３１側の部位に、その取付部３２の縮径部（溝）３４が形成されている。この縮径部３４の幅寸法は、スタンド本体４の厚さに略等しいものとされる。
【００３４】
突起部３３の吸盤本体３１の前記部位における突出高さは、この突起部３３を下側に向けた状態で、スタンド本体４１の表面に当接可能な値に設定されている（後述する図４参照）。そして、突起部３３の先端には、小穴が形成されており、この小穴に図略のストラップ等を通して突起部３３を引っ張ることができる。これにより、吸盤本体３１の凹部内に空気を入れて、携帯型デジタル音楽プレイヤー１をスタンド１０から容易に取り外すことができるようになっている。
【００３５】
本考案者は、この吸盤３の最適な形態を決定するに当たり種々の実験を行った。例えば吸盤本体３１の形状は、杯状のもののと、椀状のものとがあるが、実験結果によれば、前者に比べて後者の方が、より強い真空吸着力が得られることがわかった。その理由は、同径の場合、杯状のものに比べて、椀状のものの方が、凹部の容積が大きいことによるものと考えられる。
【００３６】
また、吸盤３の材質は、実験結果によれば、より軟質であるものである方が、真空吸着力を維持する時間が長いことがわかった。その理由は、同径の場合、硬い材質のものに比べて、柔らかい材質のものの方が、凹部の復元力が小さいことによるものと考えられる。
【００３７】
さらに、吸盤３の厚みと径とは、実験結果によれば、一定以上の厚みがあって、一定以上の径を有することが必要であることもわかった。その理由は、一定以上の径を有することで、必要な真空吸着力が得られ、一定以上の厚みを有することで、必要な真空吸着力を維持する時間が得られることによるものと考えられる。
【００３８】
具体的には、吸盤３の許容荷重６００ｇのものを使用した。この吸盤３で重量１３９ｇの携帯型デジタル音楽プレイヤー１を保持させたところ、少なくとも２４時間の保持時間を得ることが確認できた。しかしながら、それ以上の長時間になると、環境によっては、携帯型デジタル音楽プレイヤー１の位置が徐々に下がってくることがある。これは、吸盤３が乾燥して硬化することにより、吸着力を維持できなくなるからである。そのような場合には、吸盤３を取り外してメンテナンスする。すなわち、一旦、吸盤３をスタンド本体４から取り外して、５０〜６０℃程度のお湯に、５〜６分程度つけておくと、吸着力が復帰するので、この吸着力が復帰した吸盤３を再度スタンド本体４に取り付ける。
【００３９】
図４はスタンド本体４を示す詳細構成図であって、（ａ）は展開図、（ｂ）は組立図である。スタンド本体４は、図４（ａ）に示すように、例えば３ｍｍ程度の一定厚さを有する不透明な塩化ビニール等の合成樹脂板を切り抜いた上で、図４（ｂ）に示すように、折り曲げ加工したものであって、携帯型デジタル音楽プレイヤー１を保持した状態で自立可能な一体構造物である。
【００４０】
前記スタンド本体４は、具体的には机面２上に載置され前側が後側よりも長い辺を有する台形状の基部（前辺の幅Ｗ１，後辺の幅Ｗ２，前後辺間の長さＨ１）４１と、この基部４１の後側から前上方に向けて第一所定角度θ１で傾斜させた状態で立設した中間部（前後辺の幅Ｗ２，前後辺間の長さＨ２）４２と、この中間部４２の上端から後上方に向けて前記第一所定角度θ１よりも大きい第二所定角度θ２で傾斜させた状態で立設した先端部（前辺の幅Ｗ２，後辺のＲ＝Ｗ２／２，前後辺間の最大長さＨ３）４３とからなっている。
【００４１】
したがって、スタンド本体４の最大寸法は、組み立て状態で、
奥行きＤ＝Ｈ１−Ｈ２ｃｏｓ（θ１）＋Ｈ３ｃｏｓ（θ２−θ１）、
高さＨ＝Ｈ２ｓｉｎ（θ１）＋Ｈ３ｓｉｎ（θ２−θ１）、
幅Ｗ＝Ｗ１
となる。
【００４２】
ここで、奥行きＤは、基部４１の前後辺間の長さＨ１と略等しいか、或いはそれ以下の値であり、高さＨは、吸盤３で吸着された携帯型デジタル音楽プレイヤー１の下部に取り付けられた電源コード１５ａ付きの充電器１５が、基部４１と干渉しないように設定されるものとする。
【００４３】
そして、スタンド本体４の奥行きＤ、高さＨ、幅Ｗの範囲内に、吸盤３で吸着された携帯型デジタル音楽プレイヤー１の重心位置がくるように、前記各値Ｗ１，Ｗ２，Ｈ１，Ｈ２，Ｈ３，θ１，θ２をそれぞれ設定することで、スタンド本体４は自立できることになる。したがって、このスタンド本体４を机面２上に置くだけで、携帯型デジタル音楽プレイヤー１を安定した状態で保持することができる。このスタンド本体４の簡単な構成は、その部品点数を減少させて、コストアップを抑えるものでもある。
【００４４】
図５はスタンド１０の詳細構成図であって、（ａ）は平面図、（ｂ）は正面図、（ｃ）は底面図、（ｄ）は側断面図である。スタンド本体４には、図５（ａ）〜（ｄ）に示すように、前記吸盤３を着脱自在に取り付けることができる。
【００４５】
このために、スタンド本体４は、前記図４（ａ）に示すように、前記先端部４３の略中央に鍵穴状に連通する上下穴４４を設けて、上側の穴４４ａは吸盤３の取付部３２を挿入可能な径Ｗ４を有するとともに下側の穴４４ｂは前記取付部３２の縮径部３４に嵌合可能な径Ｗ３を有しており、上側の穴４４ａに前記取付部３２を挿入して下側の穴４４ｂに落としこむことにより、該下側の穴４４ｂに前記縮径部３４を嵌合することができるようになっている。よって、吸盤３を簡単に取り外してメンテナンスすることができ、或いは、吸盤３を取り外して他の吸盤と交換することができる。
【００４６】
スタンド本体４に吸盤３を取り付けたスタンド１０は、図１，図５（ａ）〜（ｄ）に示すように、携帯型デジタル音楽プレイヤー１を保持した状態で、前後左右いずれの方向についても安定感をかもしだしているが、そのスタンド本体４の裏面には、図５（ｄ）に示すように、必要に応じて、薄肉のラバー等からなる滑り止め５を貼り付けることができる。これにより、携帯型デジタル音楽プレイヤー１を保持したスタンド１０が机面２上で滑りにくくなり、より安定した状態を維持できるようになっている。そして、このスタンド１０は、その使い易さと、外観上のかわいらしさとを兼ね備えたものでもあり、例えば着色する、アニメキャラクタのイラストを描く等で、使用者らにさらなる満足感を与えるものとすることができる。
【００４７】
以下、このスタンド１０の使用方法について説明する。なお、吸盤３のメンテナンスや交換などは適宜行うものとする。
【００４８】
使用者は、例えば外出中に、携帯型デジタル音楽プレイヤー１のみを持ち歩き、操作部１４の操作により、所望の音楽を再生し、前記イヤホンジャックに取り付けたイヤホンでもって、それを聴くことができる。そして、例えば帰宅後に、携帯型デジタル音楽プレイヤー１を、スタンド１０のスタンド本体４に取り付けられた吸盤３に吸着させて、机面２上に浮かせた状態で保持させる。
【００４９】
この際に、外付けスピーカー１６を携帯型デジタル音楽プレイヤー１の上部のイヤホンジャックに取り付けることができ、また携帯型デジタル音楽プレイヤー１の下部に充電器１５を装着して、その充電器１５から延びる電源コード１５ａをパソコンの電源供給部に取り付けることもできる。
【００５０】
携帯型デジタル音楽プレイヤー１を、スタンド１０の吸盤３に吸着させると、その吸盤３の突起部３３が携帯型デジタル音楽プレイヤー１の裏面に当接して液晶画面が見やすい角度に保持されるようになる。
【００５１】
この携帯型デジタル音楽プレイヤー１を装着したスタンド１０を、前記パソコンの横に置くと、そのパソコンと一体となって、いわばオーディオ機器としての調和のとれた美観と機能とを同時に発揮することになる。
【００５２】
使用者は、必要に応じて、携帯型デジタル音楽プレイヤー１をスタンド１０から取り外すが、このときには、スタンド１０の吸盤３の突起部３３の前記小穴に通したストラップ等を引っ張ると、吸盤本体３１の凹部に空気が入るので、携帯型デジタル音楽プレイヤー１をスタンド１０から容易に外すことができる。
【００５３】
そして、再び、携帯型デジタル音楽プレイヤー１を持ち歩き、操作部１４の操作により、所望の音楽を再生し、前記イヤホンジャックに取り付けたイヤホンでもって、それを聴くことができる。
【００５４】
以上説明したように、本実施形態によれば、携帯型デジタル音楽プレイヤー１を吸着する吸盤３と、この吸盤３を取り付けるスタンド本体４とが備えられ、前記スタンド本体４に取り付けられた前記吸盤３で前記携帯型デジタル音楽プレイヤー１が吸着されたときに、この携帯型デジタル音楽プレイヤー１が前記スタンド本体４に非接触で保持される。したがって、携帯型デジタル音楽プレイヤー１の裏面１２がスタンド本体４にまったく接触しないので、その裏面１２を傷つけてしまうおそれがなくなる。
【００５５】
また、その携帯型デジタル音楽プレイヤー１をプラスチックケースに入れたままでも、従来例のようにスタンドの把持部の隙間を調整する必要がないため、手間がかかるという問題が解消され、スタンドの部品点数が減少して、そのコストアップを招くこともない。さらに、寸法や液晶画面の方向等が大きく異なる新型機種や、他メーカ品に、本スタンド１０を使用した場合には、従来例のように把持部の隙間の調整可能な範囲を超えることがなく、したがって、その都度スタンドを買い換える必要もないので、経済的である。その結果、安価で、使用時に手間がかからず、しかも携帯型デジタル音楽プレイヤー１の裏面１２などを傷つけるおそれがないスタンド１０を提供することができる。
【００５６】
なお、上記実施形態では、被保持物が携帯型デジタル音楽プレイヤー１である場合を例示したが、この被保持物には、例えば携帯電話機、写真等を含む。したがって、複数種類の吸盤（例えば携帯電話機用として３ｃｍ径の吸盤、写真用として２ｃｍ径の吸盤等）３を備えておけば、１個のスタンド１０で、より広い範囲（多用途）での使用が実現できる。
【００５７】
また、上記実施形態では、携帯型デジタル音楽プレイヤー１の裏面１２を傷つけないように吸盤３を備えているが、応用例として、この携帯型デジタル音楽プレイヤー１をプラスチックケースに入れている場合には、このプラスチックケースを、吸盤３で吸着してもよいし、スタンド本体４に着脱自在に直接取り付けるようにしてもよい。
【００５８】
また、上記実施形態では、スタンド本体４は一定形状を有しているが、基部４１と中間部４２との屈曲部、及び、中間部４２と先端部４３との屈曲部を、それぞれヒンジ等で形成して、スタンド本体４を適宜折り畳むことにより、このスタンド本体４自体を携帯用とすることとしてもよい。
【００５９】
また、上記実施形態では、スタンド本体４の基部４１の裏面には、薄肉ラバー製の滑り止め５を貼り付けているが、その裏面に小さなゴム板を例えば４隅に埋め込むこととしてもよい。これによっても、スタンド１０が机面２上で滑って落下するおそれがなくなる。
【図面の簡単な説明】
【００６０】
【図１】本考案の一実施形態に係るスタンドの概略構成を示す側断面図である。
【図２】携帯型デジタル音楽プレイヤーを示す詳細構成図であって、（ａ）は正面図、（ｂ）は側面図である。
【図３】吸盤を示す詳細構成図であって、（ａ）は正面図、（ｂ）は側面図である。
【図４】スタンド本体を示す詳細構成図であって、（ａ）は展開図、（ｂ）は組立図である。
【図５】スタンドの詳細構成図であって、（ａ）は平面図、（ｂ）は正面図、（ｃ）は底面図、（ｄ）は側断面図である。
【図６】従来例におけるスタンドの概略構成を示す斜視図である。
【符号の説明】
【００６１】
１  携帯型デジタル音楽プレイヤー（被保持物に相当する。）
２  机面（ベースに相当する。）
３  吸盤
３１  吸盤本体
３２  取付部
３３  突起部
３４  縮径部
４  スタンド本体
４１  基部
４２  中間部
４３  先端部
４４（４４ａ，４４ｂ）  穴
１０  スタンド
【図１】
0003135103.tif 000003
【図２】
0003135103.tif 000004
【図３】
0003135103.tif 000005
【図４】
0003135103.tif 000006
【図５】
0003135103.tif 000007
【図６】
0003135103.tif 000008
【手続補正書】
【提出日】平成19年7月5日(2007.7.5)
【手続補正１】
【補正対象書類名】明細書
【補正対象項目名】０００３
【補正方法】変更
【補正の内容】
【０００３】
ところで、携帯型デジタル音楽プレイヤー（例えばＡＰＰＬＥ社の「ｉＰｏｄ」：登録商標）は、光沢ある白又は黒を基調としたシンプルなデザインで、その裏面は鏡面加工されたステンレスを用いて高級感を演出している。最近の携帯型デジタル音楽プレイヤーは、液晶画面を持ち、音楽再生機能に加えて、簡単なＰＤＡ（携帯端末）機能を備えているものもある。
【手続補正２】
【補正対象書類名】図面
【補正対象項目名】図２
【補正方法】変更
【補正の内容】
【図２】
0003135103.tif 000009